(57)【要約】      （修正有）【課題】座屈等を防止できる強度を保持しつつより簡易に製造可能なガスケット及びそれを用いた管継手を提供する。【解決手段】管継手に用いられ、ガスケット本体１０と、補強部材１１と、を備えているガスケット１において、ガスケット本体１０を、その外周面より内方に向かって延在する孔部１５を複数有するものとし、補強部材１１を、孔部１５内に保持する様にする。補強部材１１は、例えば、対向する位置にある２つの補強部材１１，１１を一対として、等間隔に設けることが好ましい。又、ガスケット１を用いる管継手は、底部に向かって徐々に幅が狭くなる嵌入溝を備えており、その外面には、少なくとも開口部及び締付部の周囲に補強部が設けられる。【選択図】図２
0003206965.tif 000002
【実用新案登録請求の範囲】
【請求項１】
管継手に用いられ、ガスケット本体と、補強部材と、を備えているガスケットであって、
該ガスケット本体は、その外周面より内方に向かって延在する孔部を複数有しており、
該補強部材は、該孔部内に保持されていることを特徴とするガスケット。
【請求項２】
前記補強部材は、対向する位置に形成された２つの補強部材を１対として設けられることを特徴とする請求項１に記載のガスケット。
【請求項３】
前記補強部材は、等間隔で設けられることを特徴とする請求項１又は２に記載のガスケット。
【請求項４】
前記補強部材は、柱状に形成されたものあることを特徴とする請求項１乃至３の何れかに記載のガスケット。
【請求項５】
前記孔部は、前記ガスケットの中心方向に向かって延在するものであることを特徴とする請求項１乃至４の何れかに記載のガスケット。
【請求項６】
前記孔部は、有底であることを特徴とする請求項１乃至５の何れかに記載のガスケット。
【請求項７】
前記ガスケット本体は、その内周縁部にセルフシール部を有していることを特徴とする請求項１乃至６の何れかに記載のガスケット。
【請求項８】
前記ガスケット本体は、その外周縁部に耳部が凸設されていることを特徴とする請求項１乃至７の何れかに記載のガスケット。
【請求項９】
請求項１乃至８の何れかに記載のガスケットを備えた管継手であって、
該管継手は、該管継手によって接合される管の管端に形成されたフレア部及び該ガスケットを嵌入可能に形成された嵌入溝を備え、
該嵌入溝は、その底部に向かって徐々に幅が狭くなる様に形成されていることを特徴とする管継手。
【請求項１０】
請求項１乃至８の何れかに記載のガスケットを備えた管継手であって、
開口部と締付部とを有するハウジングを備え、
該ハウジングの外面には、少なくとも開口部及び締付部の周囲に補強部が形成されていることを特徴とする管継手。
【考案の詳細な説明】
【技術分野】
【０００１】
本考案は、ガスケットに関し、より詳細には、管継手に用いられるガスケット及びそれを備えた管継手に関する。
【背景技術】
【０００２】
従来、管を接合するために管継手が用いられている。管継手を用いて管を接合する場合、２つの管の管端の間には、管内の流体の漏れを防止すために、ガスケットが挟持される。この際、該ガスケットは、該管端によって、軸方向に圧接されるため、該ガスケットには、常に相当の負荷が掛ることとなる。
【０００３】
この様なガスケットには、主としてゴム等のエラストマー材料で形成されたものがある。エラストマー製のガスケットは、経年劣化等に伴い、前記の負荷によって変形することで座屈等を起こり、管の密閉性を損なう可能性があった。そこで、該ガスケットにおいては、座屈等を防止するために補強部材を備えるものがある。例えば、特許文献１のガスケットは、管端がフレア加工された管用の管継手に用いられるガスケットの例であるが、補強部材として金属環を採用しており、該金属環を芯材としている。
【先行技術文献】
【特許文献】
【０００４】
【特許文献１】特許第３７２９７７７号公報
【考案の概要】
【考案が解決しようとする課題】
【０００５】
しかしながら、従来の管継手用のガスケットは、製造に手間が掛るという問題があった。即ち、補強部材を、ガスケット内部に埋め込まれる様に一体的に成形したり、ガスケットを多層とし、補強部材、エラストマー層の間に挟持される様に成形したり必要があった。そのため、より簡易に製造することができるガスケットが求められている。
【０００６】
そこで、本考案は、座屈等を防止できる強度を保持しつつより簡易に製造可能なガスケット及びそれを用いた管継手を提供することを目的とする。
【課題を解決するための手段】
【０００７】
本考案は、管継手に用いられ、ガスケット本体と、補強部材と、を備えているガスケットであって、該ガスケット本体は、その外周面より内方に向かって延在する孔部を複数有しており、該補強部材は、該孔部内に保持されていることを特徴とするガスケットである。
【０００８】
又、本考案は、前記ガスケットを備えた管継手であって、該管継手は、該管継手によって接合される管の管端に形成されたフレア部及び該ガスケットを嵌入可能に形成された嵌入溝を備え、該嵌入溝は、その底部に向かって徐々に幅が狭くなる様に形成されていることを特徴とする管継手である。
【０００９】
又、本考案は、前記ガスケットを備えた管継手であって、開口部と締付部とを有するハウジングを備え、該ハウジングの外面は、少なくとも開口部及び締付部の周囲に補強部が形成されていることを特徴とする管継手である。
【００１０】
尚、本考案は、前記補強部材を、対向する位置に形成された２つの補強部材を１対として設けることができる。又、本考案は、前記補強部材を、等間隔で設けることもできる。又、本考案は、前記補強部材を、柱状に形成されたものとすることもできる。又、本考案は、前記孔部を、前記ガスケットの中心方向に向かって延在するものとすることもできる。又、本考案は、前記孔部を、有底とすることもできる。又、本考案は、前記ガスケット本体の内周縁部にセルフシール部を有するものとすることができる。又、本考案は、前記ガスケット本体の外周縁部に耳部を凸設することもできる。
【考案の効果】
【００１１】
本考案は、ガスケット本体に複数の孔部を形成し、該孔部に補強部材を保持する様にしたので、ガスケットの製造に際して、ガスケット本体と補強部材とを一体的に成形したり、エラストマー層と補強部材とを積層したりする必要がなく、ガスケット本体と孔部に補強部材を挿入することで、座屈等を防止できる強度を有するガスケットを製造することが可能であるので、座屈防止等が可能な強度を保持しつつ、より簡易に製造可能なガスケットを提供することができる。
【図面の簡単な説明】
【００１２】
【図１】本考案の実施形態のガスケットを示す正面図である。
【図２】本考案の実施形態のガスケットを示す斜視図である。
【図３】図１のIII−III断面図である。
【図４】本考案の実施形態のガスケットにおけるセルフシール部を示す拡大断面図であり、（ａ）がシール前の様子を、（ｂ）がシール後の様子を示す図である。
【図５】本考案の実施形態の管継手を示す部分断面図である。
【図６】本考案の実施形態の管継手におけるハウジングを示す正面図である。
【図７】本考案の実施形態の管継手におけるハウジングを示す平面図である。
【図８】本考案の実施形態の管継手におけるハウジングを示す底面図である。
【図９】図６のXI−XI端面拡大図である。
【考案を実施するための形態】
【００１３】
従来、ガスケットの座屈等を防止するには、ガスケットの全周に亘って補強部材で補強される様に、環状又は略環状の補強部材を用いる必要があると考えられていたが、本考案の考案者は、管継手用のガスケットを開発する過程で、補強部材を間欠的に設けても十分に座屈等を防止できる強度をガスケットに付与できるとの知見を得た。本考案は、この知見に基づくものである。
【００１４】
本考案の実施形態を、管端がフレア加工された管を接合するためのハウジング型管継手に用いられるガスケットを例に図１乃至図９に基づき説明する。ガスケット１が用いられるハウジング型管継手Ｊ（以下、管継手Ｊという）は、螺子穴２０ａ，２０ｂの形状のみが相違した一対のハウジング２Ａ，２Ｂを備えており、ハウジング２Ａ，２Ｂを螺子Ｓで締め付けることによって管Ｔ，Ｔを接合するものである。
【００１５】
ハウジング２Ａは、螺子穴２０ａが形成された締付部２０が突出した略半環状に形成されており、その中央部が開口部２１となっている。ハウジング２Ｂは、この螺子穴２０ａの代わりに螺子穴２０ｂが形成されている。本実施形態においては、螺子穴２０ａは、螺子Ｓと螺合可能となっている螺条が形成されて雌螺子となっており、螺子穴２０ｂは、単に螺子Ｓが挿通可能に形成された穴となっている。
【００１６】
又、ハウジング２Ａ，２Ｂは、管Ｔを接合する際に、ガスケット１及び管Ｔの管端に形成されたフレア部Ｔ１を嵌入するための嵌入溝２２が形成されている。嵌入溝２２は、その底部２２ａに向かって徐々に狭くなる様に形成されている。ハウジング２Ａ，２Ｂの外面２ａには、管Ｔを接合する際に、特に負荷が掛る開口部２１及び締付部２０の周囲部分に補強部２３が凸設されている。
【００１７】
ガスケット１は、ガスケット本体１０及び補強部材１１とを備えている。ガスケット本体１０は、主としてエラストマー材料を用いて成形されている。例えば、管Ｔが水道管であり、管継手Ｊがそれを接合するための管継手である場合には、耐塩素性ＥＰＤＭ（エチレン−プロピレン−ジエンゴム）を用いることが可能である。
【００１８】
ガスケット本体１０は、中央部に口部１２が形成された略環状に形成されており、管Ｔの管端（本実施形態においては、フレア部Ｔ１）が圧接される圧接面１３を有している。ガスケット本体１０の外周縁部には、耳部１４及び孔部１５が形成されており、又、その内周縁部には、セルフシール部１６が形成されている。
【００１９】
耳部１４は、管継手Ｊによって管Ｔを接合する際に、管Ｔの管端（本実施形態においては、フレア部Ｔ１）にガスケット１を一時的に固定できる様に外周縁部から両軸方向に環状に凸設されている。即ち、ガスケット本体１０は、断面略Ｔ字状となっている。
【００２０】
孔部１５は、ガスケット本体１０の外周面１０ａより内方に向かって延在しており、その内に補強部材１１を嵌め込み保持するために設けられている。そのため、孔部１５の形状、個数や配置等は、補強部材１１に合わせて形成されており、補強部材１１に合わせて適宜選択可能である。本実施形態においては、孔部１５は、ガスケット１の中心Ｃ方向に向かって延在していると共に有底である。
【００２１】
セルフシール部１６は、ガスケット１の内方に向かって末広がりの断面略台形状をしており、その内周面１６ａは、外方に向けって窪む略円弧面となっている。セルフシール部１６は、管Ｔ内を流れる流体の圧力（内圧ｐ）が内周面１６ａに掛ることにより、外方へと押し広げられてその側面１６ｂが管Ｔのフレア部Ｔ１に圧接される様になっており、それにより管Ｔを密閉し該流体が管Ｔ外へと漏出しない様にするためのものである。
【００２２】
補強部材１１は、ガスケット本体１０の孔部１５内に保持されており、ガスケット１が座屈等を起こすことによって、管Ｔの密閉性が損なうことを防止するために、ガスケット１に十分な強度を持たせるために設けられている。
【００２３】
補強部材１１は、その形状、配置や数等は、管Ｔの口径やガスケット１に求められる強度等に応じて、適宜選択可能であるが、好ましくは、柱状（例えば、本実施形態の様な円柱状の他、楕円柱状や角柱状等）の補強部材１１が、対向する位置にある２箇所の補強部材１１，１１を１対として、等間隔に複数対配設される。補強部材１１を形成する素材は、フレア部Ｔ１によるガスケット１への負荷に耐えられる強度のものであれば適宜選択することができ、例えば、ステンレスやアルミ等の金属素材、エンジニアリングプラスチック等の高強度の樹脂素材や紙類等から選択される。
【００２４】
ガスケット１は、ガスケット本体１０及び補強部材１１とを別々に成形し、補強部材１１をガスケット本体１０の孔部１５に挿し込むことで製造することが可能である。そのため、従来のガスケットと比較して簡易な工程で製造することが可能である。
【００２５】
この際、孔部１５は、ガスケット本体１０を成形する際に形成することもできるが、孔部１５がないガスケット１０を成形し、事後的に孔部１５を開ける様にしても良い。又、補強部材２の先端を、例えば、釘様にして、補強部材２をガスケット本体２に挿し込むと同時に孔部１５を形成する様にすることもできる。
【００２６】
本考案を上記実施形態に基づいて説明したが、本考案は、上記実施形態に限定されるものではなく、考案の要旨を変更しない範囲で適宜変更可能である。上記実施形態においては、フレア加工された管Ｔを接合するハウジング型管継手Ｊに用いられるガスケット１を例に挙げて説明したが、ルーズフランジ継手やその他管継手にも用いることが可能であり、管端がフレア加工されていない管用の管継手にも用いることが可能である。
【００２７】
又、ハウジング２Ｂの螺子穴２０ａを雌螺子とせずに螺子穴２０ｂの様な単なる螺子Ｓが挿通可能な穴としナット（図示せず）を用いて締め付けることも可能である。この場合、螺子穴２０ａと螺子穴２０ｂとは同一の形状としても良い。
【符号の説明】
【００２８】
１      ガスケット          １０    ガスケット本体      １０ａ  外周面
１１    補強部材            １２    口部                １３    圧接面
１４    耳部                １５    孔部                １６    セルフシール部
１６ａ  内周面              １６ｂ  側面                ２      ハウジング
２ａ    外面                ２０    締付部              ２０ａ  螺子穴
２０ｂ  螺子穴              ２１    開口部              ２２    嵌入溝
２２ａ  底部                ２３    補強部              Ｃ      中心
Ｊ      管継手              Ｓ      螺子                Ｔ      管
Ｔ１    フレア部
【図１】
0003206965.tif 000003
【図２】
0003206965.tif 000004
【図３】
0003206965.tif 000005
【図４】
0003206965.tif 000006
【図５】
0003206965.tif 000007
【図６】
0003206965.tif 000008
【図７】
0003206965.tif 000009
【図８】
0003206965.tif 000010
【図９】
0003206965.tif 000011